(57)【特許請求の範囲】
【請求項１】
ユーザ宅においてデコーダと称されているデコーディング／デスクランブリング装置内に挿入されるスマートカードと称されているマイクロプロセッサカードを使用するペイテレビジョン方法であって、前記スマートカードはユーザの資格に関するデータの記憶用に使用され、前記資格データが資格管理メッセージを発生し送信する中央管理装置からユーザのスマートカードへ空中を経て供給されるペイテレビジョン方法において、
受信機側には、中央管理装置によってユーザ宅で使用する１台目のデコーダとみなされるデコーダ（以後マスタデコーダという）と２台目以降のデコーダとみなされる少なくとも１つのデコーダ（以後従属デコーダという）が１軒のユーザ宅内に配置され、
中央管理装置が、マスタデコーダのみが使用しうるマスタデコーダ用の資格管理メッセージを供給し、
この資格管理メッセージは暗号化手段により保護され、特にマスタデコーダの識別番号及び資格に関するデータを含むとともに従属デコーダの資格に関するデータを含み、
マスタデコーダが、このメッセージの受信時に、スマートカードと関連して暗号化処理を開始して資格管理メッセージを確認し解読し、且つ
従属デコーダと関連するスマートカードがユーザによってマスタデコーダに挿入されたとき、マスタデコーダが従属資格データをこの従属スマートカードに書き込ませる、
ことを特徴とするペイテレビジョン方法。
【請求項２】
従属デコーダ用の資格データは前記中央管理装置によりマスタデコーダ用の資格データより頻繁に更新することを特徴とする請求項１記載の方法。
【請求項３】
従属デコーダ用の資格データは前記中央管理装置により少なくとも１週間に１度更新することを特徴とする請求項２記載の方法。
【請求項４】
前記中央管理装置はマスタデコーダ用の単一の資格管理メッセージを生成し送信して複数の従属デコーダの資格データを更新することを特徴とする請求項１記載の方法。
【請求項５】
一つの送信機と複数の受信機を具え、各受信機がペイテレビジョン放送を受信するよう設計され、且つユーザの資格に関するデータを記憶するためのスマートカードと称されているマイクロプロセッサカードの読取装置が設けられたデコーダと称されているデコーディング／スクランブリング装置を少なくとも具え、送信機が資格管理メッセージを発生し空中を経て送信する管理装置を具えているテレビジョンシステムにおいて、
一軒のユーザ宅内に、前記管理装置によってユーザ宅で使用する１台目のデコーダとみなされるデコーダ（以後マスタデコーダという）と２台目以降のデコーダとみなされる少なくとも１つのデコーダ（以後従属デコーダという）を具え、
前記管理装置には、暗号化手段により保護されたマスタデコーダ用の資格管理メッセージであって、マスタデコーダのみが使用しうる、特にマスタデコーダの識別番号及び資格に関するデータを含むとともに従属デコーダの資格に関するデータを含むメッセージを供給する手段が設けられ、
マスタデコーダには、このメッセージの受信時に、そのスマートカードと関連して暗号化処理を開始して資格管理メッセージを確認し解読し、マスタスマートカードにロードする手段と、従属デコーダと関連するスマートカードがマスタデコーダに挿入されたとき、従属資格データをこの従属スマートカードに書き込む手段とが設けられていることを特徴とするテレビジョンシステム。
【請求項６】
スマートカードと称されているマイクロプロセッサカードの読取装置が設けられたテレビジョン受信装置であって、該スマートカードは送信機により送信され且つ暗号手段により保護された資格管理メッセージの記憶用に使用され、該メッセージは当該受信装置の識別番号及び資格に関するデータを含む対応するスマートカードと関連して使用しうるのみであり、このようなメッセージの受信時にスマートカードと関連して暗号処理を開始し、資格管理メッセージを確認し解読してスマートカードにロードする手段が設けられているユーザの１台目であるテレビジョン受信装置（以後マスタ装置という）において、
前記資格管理メッセージが、ユーザの２台目であるテレビジョン受信装置（以後従属装置という）に対する資格データも含むことができ、当該マスタ装置には従属装置の資格データを従属装置と関連するスマートカードに書き込む手段が設けられていることを特徴とするテレビジョン受信装置。
【発明の詳細な説明】
【０００１】
【産業上の利用分野】
本発明は、ユーザ宅においてデコーダと称されているデコーディング／デスクランブリング装置内に挿入されるスマートカードと称されているマイクロプロセッサカードを使用するペイＴＶ方法であって、該スマートカードはユーザの資格に関するデータの記憶用に使用され、前記資格データは資格管理メッセージを発生し送信する中央管理装置から各ユーザのスマートカードに空中を経て供給されるペイＴＶ方法に関するものである。
資格データとはユーザに所定のプログラムを受信する資格を与えるデータのアセンブリを意味するものと理解されたい。
【０００２】
本発明は、一つの送信機と複数の受信機を具え、各受信機がペイＴＶ放送を受信するよう設計され、且つユーザの資格に関するデータを記憶するためのスマートカードと称されているマイクロプロセッサカードの読取装置が設けられたデコーダと称されているデコーディング／スクランブリング装置を少なくとも具え、送信機が資格管理メッセージを発生し空中を経て送信する管理装置を具えているテレビジョンシステムにも関するものである。
【０００３】
本発明は、スマートカードと称されているマイクロプロセッサカードの読取装置が設けられた受信装置であって、該スマートカードは送信機により送信され且つ暗号手段により保護された資格管理メッセージの記憶用に使用され、該メッセージは当該受信装置の識別番号及び資格に関するデータを含む予定されたスマートカードと関連して使用しうるのみであり、このようなメッセージの受信時にスマートカードと関連して暗号処理を開始し、資格管理メッセージを確認し解読してスマートカードにロードする手段が設けられているテレビジョン受信装置にも関するものである。
【０００４】
【従来の技術】
頭書に記載した方法に対応する資格制御方法は特にＥＵＲＯＣＲＹＰＴシステムから既知である。このシステムに関する標準（specification of the D2-MAC packet system, edition 1985, pp.142,143)にこのような暗号化方法が記載されている。
【０００５】
一人のユーザが数台のデコーダと関連のスマートカードの分配を望むことがある。一人のユーザに対する２台目又は３台目のデコーダは２台目又は３台目のデコーダに対し料金の割引が得られる利点がある。
【０００６】
このような料金の割引は、２台目又は３台目のデコーダが同じ家又はアパート内で使用される場合にしか認められないこと明らかである。原則として、２台又は３台目のデコーダを親や友人に付与してはならない。
【０００７】
【発明が解決しようとする課題】
本発明の目的は、従属デコーダがマスタデコーダの近くで使用されない場合には従属デコーダの使用を困難にする方法及びシステムを提供することにある。
【０００８】
【課題を解決するための手段】
本発明の方法においては、
受信機側において、マスタデコーダと少なくとも１つの従属デコーダを１軒の住宅内で使用するように配置し、
中央管理装置が、マスタデコーダのみが使用しうるマスタデコーダ用の資格管理メッセージを供給し、
この資格管理メッセージは暗号化手段により保護され、特にマスタデコーダの識別番号及び資格に関するデータを含むとともに従属デコーダの資格に関するデータを含み、
マスタデコーダが、このメッセージの受信時に、スマートカードと関連して暗号化処理を開始して資格管理メッセージを確認し解読し、且つ
ユーザが従属カードをマスタデコーダに挿入して、マスタデコーダにより従属資格データを従属カードに書き込ませる、
ことを特徴とする。
【０００９】
本発明は、マスタデコーダを従属スマートカード−従属デコーダアセンブリ用の資格管理メッセージのためのレターボックスとして使用するという認識に基づくものである。
従属デコーダ用の資格データはマスタデコーダ用の資格データより頻繁に更新するのが好ましく、例えばマスタデコーダ用の各データは１月毎に更新するのに対し、従属デコーダ用の資格データを少なくとも１週間毎に更新することができる。
【００１０】
数台の従属デコーダの資格データを更新するのにマスタデコーダ用の単一の資格管理メッセージを使用することができる。
このようにすれば管理装置は数台の受信機に対し一つの資格管理メッセージを供給するだけでよく、この場合にはこれらのデコーダは小記憶容量（約１００バイト）で十分になる。
【００１１】
本発明のペイＴＶシステムにおいては、
一軒の住宅内に、この住宅内で使用する予定の１台のマスタデコーダと少なくとも１台の従属デコーダを具え、
前記管理装置には、暗号化手段により保護されたマスタデコーダ用の資格管理メッセージであって、マスタデコーダのみが使用しうるとともに、特にマスタデコーダの識別番号及び資格に関するデータを含むとともに従属デコーダの資格に関するデータを含むメッセージを供給する手段が設けられ、
マスタデコーダには、このメッセージの受信時に、そのスマートカードと関連して暗号化処理を開始して資格管理メッセージを確認し解読し、マスタスマートカードにロードする手段と、従属カードがマスタデコーダに挿入されたとき、従属資格データをこの従属カードに書き込む手段とが設けられていることを特徴とする。
【００１２】
本発明によるテレビジョン受信装置には、資格管理メッセージが従属スマートカードを有する従属装置の資格データを含むときに、従属装置の資格データを従属スマートカードに書き込む手段設けるのが好ましい。
【００１３】
【発明の実施の形態】
本発明のこれらの特徴及び他の特徴は以下に記載する実施例の説明から明らかになる。
図１に示す本発明システムは送信センタ又は送信機２０と複数の受信装置とを具え、その一つを２１で示す。
【００１４】
送信センタ２０は画像及び音声ソース１０、例えばテレビジョンカメラ又はビデオレコーダを具え、その信号は例えばＰＡＬ，ＳＥＣＡＭ，ＮＴＳＣ方式等で符号化されている。この信号は更にエンコーダ１１において圧縮ディジタル形態にされ、次いでスクランブリングユニット１２においてスクランブルされる。既知のように、スクランブリングユニット１２は更にスクランブリングデータ及び必要な暗号化要素を信号に付加し、デスクランブリングキーを受信機に供給する。これらのスクランブリングデータは特に資格データを含み、中央資格管理装置１３により発生される。
【００１５】
信号はアンテナ９（衛星アンテナとすることもできる）により送信する前に変調器１４により最終的にＲＦ変調される。
受信装置２１においては、信号が受信機、ここではアンテナ７により受信され、この受信システムは衛星受信システム又は群アンテナ又はケーブルネットワークにすることもできる。
【００１６】
分配器８は信号を、例えば一軒の住宅内の３つの異なる部屋に配置されている、テレビジョン受信機４とスマートカード３１を有するデコーダ１、テレビジョン受信機５とスマートカード３２を有するデコーダ２、及びテレビジョン受信機６とスマートカード３３を有するデコーダ３によりそれぞれ構成された３つの受信装置に分配する。各デコーダは対応するテレビジョン受信機に、例えばテレビジョン受信機とデコーダとの間の有用情報の転送を可能にする標準の周辺テレビジョン接続により接続する。これらのデコーダのうちの一つ、例えばデコーダ１がマスタデコーダであり、他の２つのデコーダは従属デコーダである。
【００１７】
資格データの正しい送信及び受信のために既知の改良型暗号化及びアドレッシングメカニズムを使用する。標準プロシージャ、例えば”ＥＵＲＯＣＲＹＰＴ”を使用することができる。資格データはＥＭＭという資格管理メッセージに入れて転送する。資格データは特に料金に関する基準、有効期日、クレジット値等を含む。
【００１８】
２つ以上のデコーダ及びスマートカードアセンブリを有するユーザは管理装置１３に登録される。従って、マスタデコーダ及びスマートカードアセンブリと従属デコーダ及びスマートカードアセンブリは管理装置において識別される。管理装置がユーザ間に分配されているすべてのデコーダ及びスマートカードアセンブリのトラックを維持する。第１のデコーダ及びスマートカードアセンブリをユーザに供与するとき、スマートカード分配キーをマスターキーとして登録する。第２及び第３のデコーダ及びスマートカードアセンブリを同一住所の同一のユーザに供与するとき、第２の分配キー及び第３の分配キーを従属キーとして登録する。
【００１９】
管理装置は、例えば１月に１度、メッセージＥＭＭを送信してマスタ資格データを更新する（マスタ資格は１ヵ月有効）。このメッセージＥＭＭは空中を経て伝送され、デコーダの識別番号、即ちカード３１のアドレスに基づいて受信され、デコーダ１によりカード３１に供給される。
【００２０】
管理装置は、例えば１週間に１度、各カード３２及び３３に必要なデータを含むマスタデコーダ用のメッセージＥＭＭを送信して１週間だけ有効であるこれらのカード３２及び３３の資格データを更新する。管理装置により供給されるメッセージはマスタデコーダが使用しうるのみであり、従属資格データは決して管理装置から従属デコーダ及びスマートカードアセンブリへ直接伝送されず、これが搬送するアドレス及び確認データはマスタデコーダに対応する。これらのメッセージＥＭＭはデコーダ１の局部メモリに蓄積される。
マスタデコーダ又はマスタスマートカードと従属デコーダ又は従属スマートカードとの間にはハードウェアの差はない。
【００２１】
マスタデコーダ用のメッセージＥＭＭの内容は図２に示され、複数のフィールド：マスタデコーダのアドレス”Ａ．Ｍ”；サービス参照”Service ref ”；マスタ資格及び従属資格のデータフィールド”Ｍ／ＥＭＭ”；”ＳＬ１／ＥＭＭ”；．．．；”ＳＬｎ／ＥＭＭ等及び暗号化保護データ”crypto-protection"を含む。資格データフィールドはクリアテキストで伝送することも、暗号化して伝送することもできる。
【００２２】
マスタデコーダがこのメッセージを受信すると、このデコーダはスマートカードと関連して既知の暗号化処理を開始してメッセージＥＭＭを確認し受信し、必要に応じ解読する。
ここでは、ユーザは自宅に３つのデコーダ−スマートカードアセンブリを有している。従って、３つのデコーダ１、２、３と３つのスマートカード３１、３２、３３がある。
【００２３】
デコーダ１に付属のカード３１は管理装置にマスタカードとして登録される。デコーダ２、３に付属のカード３２、３３は管理装置に従属カードとして登録される。
２つの従属デコーダの資格データを更新するのに一つのマスタメッセージＥＭＭのみを使用することができる。各メッセージをこれらのメッセージを再送信するマスタデコーダのみが使用可能であるならば、複数のメッセージを使用することもできる。
【００２４】
このシステムは、一人の同一のユーザに対するすべての従属カードに同一のアドレス及び同一のキー等を与えることにより簡単化することもできる。しかし、従属カードに異なるキー及びアドレスを与えることもできる。
１週間に１度、ユーザはカード３２及び３３をマスタデコーダ１に物理的に挿入して従属カードの資格データを更新する義務がある。
上述した有効期間は一例にすぎず、他の任意の期間を選択することができること勿論である。
【００２５】
資格データの受信及び画像及び音声信号の復号はユーザ宅においてデコーダにより実現される。マスタデコーダ１を図３に詳細に示す。このデコーダ１は放送受信手段１６、デコーディング／デスクランブリングモジュール１７及びスマートカード３１の読取装置１８を具える。
【００２６】
既知の放送受信手段１６（チューナ、周波数変換器、増幅器、復調器）はスクランブルされたビデオ及び音声とデータのパケットをデコーディング／デスクランブリングモジュール１７に供給する。モジュール１７はデスクランブルした信号を受信手段１６に戻し、テレビジョン受信機４に供給する。
【００２７】
モジュール１７は既知のように所定のディジタルデータ、例えば前記データパケットから抽出された制御ワードをスマートカード付き読取装置１８−３１に戻し、このカードが次いで初期化ワードをデコーダに供給してビデオ信号をデスクランブルさせる。スマートカードは、そのユーザのみに向けられた分配キーと称されている暗号化データ、即ち上述した改良された既知のアドレッシング及び暗号化メカニズムにより空中を経て暗号化された形態で受信される制御ワードの解読を可能にするデータを具える。
【００２８】
デコーダ１はこのデコーダに対するメッセージＥＭＭから従属デコーダに対する資格管理メッセージを読み取る。これらのメッセージが暗号化されている場合には、デコーダ１がこれらのメッセージをカード３１からの分配キーを用いて解読する。デコーダ１はこれらの分配キーをメモリ１９に記憶する。このメモリからこれらのキーを再び読み出して、ユーザが読取装置１８に挿入する従属カードに記入することができる。
【図面の簡単な説明】
【図１】本発明のペイテレビジョンシステムの構成図である。
【図２】資格管理メッセージの内容を示す図である。
【図３】マスタデコーダを有する受信装置の構成図である。
【符号の説明】
２０  送信センタ
９    アンテナ
１０  画像及び音声ソース
１１  エンコーダ
１２  スクランブリングユニット
１３  中央資格管理装置
１４  変調器
２１  受信装置
１    マスタデコーダ
２、３  従属デコーダ
４、５、６  テレビジョン受信機
７    アンテナ
８    分配器
３１  マスタスマートカード
３２、３３  従属スマートカード
１６  受信機
１７  デコーディング／デスクランブリングモジュール
１８  読取装置
【図１】
0003825495.tif 000002
【図２】
0003825495.tif 000003
【図３】
0003825495.tif 000004